(57)【特許請求の範囲】
【請求項１】
受信スロット、送信スロット、非データ・スロットを含むサブフレームを有する時分割多重接続(ＴＤＭＡ)システムにおいて電気回路構成（３０１）を具備する無線通信装置（１０２）の消費電力を削減する方法であって：
第１サブフレームの第１受信スロットにおいてデータを受信する段階（４０８）；
少なくとも第２サブフレームに対してアイドル条件が存在するかどうかを検出する段階（４１８）
を備え、
前記少なくとも第２サブフレームのアイドル条件が存在する場合、少なくとも前記第２サブフレームの期間中に前記電気回路構成の一部の電源を遮断し（４３４）、
前記少なくとも第２サブフレームのアイドル条件が存在しない場合、前記少なくとも第２サブフレームの送信スロット及び非データスロットの期間中に前記電気回路の前記一部の電源を遮断する（４２８）方法。
【請求項２】
前記第１サブフレームおよび前記第２サブフレームのいずれか一方の少なくとも１つの非データ・スロットの間に、前記電気回路構成（３０１）の前記少なくとも一部分の電源を遮断する段階（４３４）によってさらに構成されることを特徴とする請求項１記載の方法。
【請求項３】
前記第２サブフレームのアイドル・スロットおよび送信スロットの間に、前記電気回路構成（３０１）の前記の少なくとも一部分の電源を遮断したままにする段階（４３４）によってさらに構成されることを特徴とする請求項１記載の方法。
【請求項４】
前記電気回路構成（３０１）の少なくとも一部分の電源を遮断する前記段階（４３４）が、受信機（３１４）およびシンセサイザ（３１８）の少なくとも一部分の電源を遮断する段階をさらに含むことを特徴とする請求項１記載の方法。
【請求項５】
受信スロット、送信スロット、非データ・スロットを含むサブフレームを有する時分割多重接続(ＴＤＭＡ)システムにおいて受信機（３１４）およびシンセサイザ（３１８）を含む電気回路構成（３０１）を具備する無線通信装置（１０２）の消費電力を削減する方法であって：
第１サブフレームに関してアップリンク要件がないことを検出する段階（４０２）；
前記受信機（３１４）がホーム周波数上に受信するように前記シンセサイザ（３１８）を同調する段階（４０６）；
前記第１サブフレームの第１受信スロットの間に、ホーム無線周波数（ＲＦ）信号を受信する段階（４０８）；
前記第１サブフレームの少なくとも第１非データ・スロットの間に、前記受信機（３１４）が第１周辺ＲＦ周波数上に受信するように前記シンセサイザ（３１８）を同調する段階（４１０）；
前記少なくとも第１非データ・スロットの間に、第１周辺ＲＦ信号を受信する段階（４１０）；
前記第１周辺ＲＦ信号の第１信号強度を検出する段階（４１２）；
前記少なくとも第１非データ・スロットの間に、前記受信機（３１４）が第２周辺RF周波数上に受信するように前記シンセサイザ（３１８）を同調する段階（４１４）；
前記少なくとも第１非データ・スロットの間に、第２周辺ＲＦ信号を受信する段階（４１４）；
前記第２周辺ＲＦ信号の第２信号強度を検出する段階（４１６）；
前記第１ホームＲＦ信号上に受信されるデータから、前記第１サブフレームに続く第２サブフレームに関するアイドル条件を検出する段階（４１８）；
を備え、前記少なくとも第２サブフレームのアイドル条件が存在する場合、少なくとも前記第２サブフレームの期間中に前記電気回路構成の一部の電源を遮断し（４３４）、
前記少なくとも第２サブフレームのアイドル条件が存在しない場合、前記少なくとも第２サブフレームの送信スロット及び非データスロットの期間中に前記電気回路の前記一部の電源を遮断（４２８）する方法。
【請求項６】
前記第１サブフレームに続く第２サブフレームの少なくとも第２非データ・スロットの間に前記電気回路構成（３０１）の少なくとも一部分の電源を遮断する段階（４２０）によってさらに構成されることを特徴とする請求項５記載の方法。
【請求項７】
前記電気回路構成（３０１）の前記少なくとも一部分が、前記受信機（３１４）および前記シンセサイザ（３１８）の少なくとも部分を含むことを特徴とする請求項６記載の方法。
【請求項８】
前記第１ホームＲＦ信号上に受信されるデータから、前記第１サブフレームに続く第２サブフレームに関するアイドル条件を検出する段階（４１８）；および
前記アイドル条件の検出に応答して、前記第２サブフレームの受信スロットの間に前記電気回路構成（３０１）の少なくとも一部分の電源を遮断する段階（４３４）；
によってさらに構成されることを特徴とする請求項6記載の方法。
【請求項９】
前記電気回路構成（３０１）の前記少なくとも一部分が、前記受信機（３１４）および前記シンセサイザ（３１８）の少なくとも部分を含むことを特徴とする請求項５に記載の方法。
【発明の詳細な説明】
【０００１】
【産業上の利用分野】
本発明は、一般に通信装置の消費電力削減に関し、さらに詳しくは、時分割多重接続（TDMA: time division multiple access ）システムにおいて動作する移動局の消費電力の削減に関する。
【０００２】
【従来の技術および発明が解決しようとする課題】
無線周波数（RF）信号を介して通信する移動局などの無線通信装置は、通常、携帯されて、脱着可能なバッテリにより給電される。脱着可能なバッテリは、限られた時間量だけ通信装置に電力を供給することができるが、この時間量は装置の平均消費電力に反比例する。そのため、バッテリが消耗するまでの動作時間を長くするには、通信装置の消費電力を削減することが望まし場合が多い。あるいは、通信装置に付属する脱着可能バッテリの寸法を削減するために、消費電力を削減することが望ましい場合が多い。
【０００３】
通常、通信装置の受信機が受信時間間隔のある部分の間は電力が遮断される間欠受信（IRX:Intermittent receive）方法が知られる。しかし、この方法は、その固有の複雑性のために、時分割多重接続（TDMA）システムにおいて動作する装置に適用することは、一般的には、より困難である。たとえば、TDMAシステム内で動作する通信装置は、隣接する時間スロット内で迅速にデータの受信と送信とを交互に実行し、このスロットとスロットとの間に、周辺ゾーン信号を受信し、その信号強度を測定しなければならない。通常は、受信機，送信機，シンセサイザ，デジタル信号プロセッサおよびマイクロプロセッサを具備する通信装置の電気回路構成は、このような処理の間の大半の時間は、通電する必要がある。電気回路構成の応答および安定化時間が比較的遅いために、そのすぐ後に通電する必要のある回路構成の電力を遮断することは実際的ではない。
【０００４】
従って、通信装置、特にTDMA法により動作する無線通信装置の消費電力を削減する必要がある。
【０００５】
【実施例】
本発明により、無線通信装置の消費電力を削減するための方法および装置が開示される。無線通信装置は、第１サブフレームの第１受信スロット内にデータを受信し、アイドル条件が存在するか否かを検出する。アイドル条件が存在することを検出するとそれに応答して、無線通信装置の電気回路構成の少なくとも一部分が、第２サブフレームの第２受信スロットの間電力を遮断される。
【０００６】
図１は、無線通信システム１００を示すブロック図である。無線通信システム１００は、移動局１０２と基地局１０４ならびに、基地局１１０および基地局１１２などのその他の基地局を具備する。移動局１０２および基地局１０４は、アンテナ１０６，１０８をそれぞれ備え、無線周波数（RF）信号を受信および送信して通信を行うことができる。
【０００７】
無線通信システム１００は、時分割多重接続（TDMA）および周波数分割二重（FDD: frequency division duplex）法を利用する。好ましくは、無線通信システム１００は、STD −２７（１９９１年発行RCR-STD27 ）の名前で、現在は日本無線産業協会（ARIB: Association of Radio Industries and Businesses of Japan ）として知られる電波システム開発センター（RCR: Researach and Development Center for Radio Systems ）により発行される空中通信媒体インタフェース仕様に準拠して動作するパーソナル・デジタル・セルラ（PDC: personal digital cellular）システムである。ここでは、移動局１０２の受信周波数は、８１０〜８２８MHz （PDC ）の範囲内の周波数と、８７０〜８８５MHz （アナログ）の範囲内の周波数とを含む。移動局１０２の送信周波数は、９１５〜９４０MHz （PDC ）の範囲内の周波数と、９４０〜９５８MHz （アナログ）の範囲内の周波数とを含む。
【０００８】
移動局１０２および基地局１０４は、ゾーンまたはカバレージ・エリア１１４内で通信する。スタンバイ動作モード中は、移動局１０２はホーム周波数上に基地局１０４からの無線信号を受信する。無線信号は、制御およびページング・データにより変調される。時間の経過と共に条件が変化して、移動局１０２が異なる周波数上で基地局１０４からの無線信号を受信したり、あるいは隣接するゾーンの異なる周波数上で異なる基地局から無線信号を受信するほうが、便利になる場合がある。
【０００９】
たとえば、移動局１０２が基地局１０４から離れて、基地局１１０に近づくと、基地局１０４からの無線信号強度が弱まり、異なる周波数上の基地局１１０からの無線信号のほうが強くなることがある。このような検出に応答して、移動局１０２は「ハンドオフ」を開始し、その結果、基地局１１０からの無線信号を受信する。このような検出は、周辺ゾーンのチェックを行う移動局１０２により行われる。周辺ゾーンのチェックでは、周辺ゾーンの周波数が常に監視される。
【００１０】
図２は、無線通信システム１００内のデータ通信に関するタイミング図の例である。このタイミング図は、複数のサブフレーム２０１を含むスーパーフレーム２００を示す。複数のサブフレーム２０１は、同報情報チャネル（BCCH: broadcast information channel ）サブフレーム２０３，信号化制御チャネル（SCCH: sinaling control channel）サブフレーム２０５および移動局１０２とその他の移動局とに割り当てられる１つ以上のページング・チャネル（PCH: paging channel ）サブフレーム２０７を含む。BCCHサブフレーム２０３はダウンリンクのみであり、ゾーン内のチャネルの構造，制限情報および周辺ゾーン情報を記述するデータを含む。SCCHサブフレーム２０５は、双方向（ダウンリンクおよびアップリンク）であり、呼の登録および設定に用いられる。PCH サブフレーム２０７はダウンリンクであり、移動局をページングし、それらに対してチャネル構造の変更を通知するデータを含む。
【００１１】
無線通信システム１００もTDMAシステムであるので、基地局１０４は複数の送信スロット２０２内にデータを送信し、複数の受信スロット２０４内にデータを受信する。ここでは、基地局１０４は、最大３つまでの異なる移動局から３つの異なるメッセージを受信するよう設定される。さらに詳しくは、基地局１０４は受信スロット２２６，２３２内に移動局１０２からのメッセージを受信するよう設定され、受信スロット２２２，２２８および受信スロット２２４，２３０内に他の移動局からの他のメッセージを受信するよう設定される。
【００１２】
移動局１０２から見ると、PCH サブフレーム２０９，２１１内のデータは複数のスロット２０６内に受信および送信される。さらに詳しくは、PCH サブフレーム２０９内のデータは、受信スロット２３４（基地局１０４の送信スロット２１０に対応する）内に受信され、送信スロット２３８（基地局１０４の受信スロット２２６に対応する）内に送信される。PCH サブフレーム２１１内のデータは、受信スロット２４２（基地局１０４の送信スロット２１６に対応する）内に受信され、送信スロット２４６（基地局１０４の受信スロット２３２に対応する）内に送信される。ページング情報がその中に受信されるので、受信スロット２３４，２４２は移動局１０２の「ページング・スロット」と呼ばれることがある。
【００１３】
受信スロットと送信スロットとの間には、複数のアイドル・スロットがある。これには、受信スロット２３４に続くロング・アイドル・スロット２３６，ショート・アイドル・スロット２４０，受信スロット２４２に続くロング・アイドル・スロット２４４および送信スロット２４６に続くショート・アイドル・スロット２４８が含まれる。普通は、その中にはデータが受信または送信されることがないので、ロング・アイドル・スロット２３６，２４４およびショート・アイドル・スロット２４０，２４８は、非データ・スロットと呼ばれることがある。アップリンクまたは送信要件が必要とされない場合は、データ送信が必要とされないので、送信スロット２３８，２４６も非データ・スロットと呼ばれることがある。
【００１４】
受信スロット２３４，２４２および送信スロット２３８，２４６は、通常６．６７ミリ秒の長さを持ち、ロング・アイドル・スロット２３６，２４４は通常５．６ミリ秒，ショート・アイドル・スロットは通常１ミリ秒の長さを持つ。従って、各サブフレームは、通常２０ミリ秒の長さである。さらに、スーパーフレーム２００毎に通常は３６個のサブフレームがあるので、スーパーフレーム２００は、通常は７２０秒の長さを持つ。
【００１５】
従来のシステムにおいては、基地局１０４は、（PCH サブフレーム２０９などの）１つのPCH サブフレームのみを用いてページング通信を行うようにシステムを設定する。この場合、移動局１０２の受信機は最小限の時間量の間だけ通電することができる。しかし、利用度が高い間は、基地局１０４は移動局１０２に対して、PCH サブフレーム２０９およびPCH サブフレーム２１１などの複数のPCH ブフレーム内でページング・メッセージを受信し、すべてのページング情報が時宜的に同報されるように命令する。図２に示されるように、基地局１０４はPCH たはページング・メッセージを送信スロット２１０，２１６（移動局１０２の受信スロット２３４，２４２）内に移動局１０２に対して送付し、他のページング・メッセージを、送信スロット２１２，２１８および送信スロット２１４，２２０内に他の移動局に対して送付する。PDC システムでは周知の如く、１つのページング・メッセージは、第１および第２受信スロット内に受信されるデータで構成され、この場合、第１受信スロット内のデータは、第２受信スロット内のデータとは異なる。ページング情報が使用できない場合は、基地局１０４はPCH サブフレーム２０７内にアイドル・メッセージを送付する。PDC システムにおいては、PCH またはページング・メッセージのW ビット・フィールドがゼロの値を持つときに、アイドル・メッセージが検出される。
【００１６】
一般に、移動局は、それがPCH メッセージを受信しなければならない受信スロットの数を再構築し変更することは望ましくない。無線通信システム１００は、短い時間量のためだけのリアルタイムのページング容量を増やすために、追加のページング・スロットを要求する場合がある。これは、移動局が追加のページング・スロットの間受信するために、より長い間、回路構成を通電させることを強いることで、移動局の電流消費を不必要に増大する。
【００１７】
従来の方法を用いると、２つのページング・スロットを受信するよう設定される場合、移動局は、図２のタイミング図２０８に従ってその電気回路構成を動作するのが一般的である。移動局の電気回路構成は、通常、受信機およびシンセサイザを備える。参照矢印２５４により指示される時点で、シンセサイザは受信機をホーム周波数に同調するようプログラミングされる。受信スロット２２４の開始に先立ち、シンセサイザがロックされ、受信機が通電される。受信スロット２３４の間に、受信機はホーム周波数上にRF信号を受信し、そこからデータを得る。ロング・アイドル・スロット２３６の開始時に、参照矢印２５６により指示される時点で、シンセサイザは第１周辺周波数に受信機を同調するようプログラミングされる。参照矢印２５８により指示される時点で、シンセサイザはロックされ、電気回路構成が受信機内に受信される第１周辺RF信号の信号強度を測定する。参照矢印２６０により指示される時点で、シンセサイザは受信機をホーム周波数に同調するようプログラミングされる。参照矢印２６２により指示される時点で、シンセサイザはロックされる。受信スロット２４２の間に、受信機はオンとなり、ホーム周波数RF 信号を受信して、そこからデータを回収する。ロング・アイドル・スロット２４４の開始時に、参照矢印２６４により指示される時点で、シンセサイザは第２周辺周波数に受信機を同調するようプログラミングされる。参照矢印２６６により指示される時点で、シンセサイザはロックされ、電気回路構成は受信機内に受信される第２周辺RF信号の信号強度を測定する。その後のある時点で、受信機は電源を遮断される。ロング・アイドル・スロット２３６，２４４中に監視することのできる周辺RF信号の数は、シンセサイザのロック時間と、ホーム周波数上にデータを受信する必要性とにより制約される。
【００１８】
図３は、本発明により動作する移動局１０２の電気回路構成３０１を示す概略ブロック図である。電気回路構成３０１は、コントローラ３１０およびトランシーバ３１２を備える。トランシーバ３１２は、受信機３１４，送信機３１６およびシンセサイザ３１８を備える。シンセサイザ３１８は、受信および送信のために受信機３１４および送信機３１６が利用するRF信号を発生する。受信機３１４は基地局１０４から送信され、アンテナ１０６を通じて受信されるRF信号を受信および復調し、それにより被受信データを生成する。このデータは接続線３２０を介してコントローラ３１０に伝えられる。コントローラ３１０は、被受信データを受信および解読して、制御バス３５０を介してトランシーバ３１２への制御を維持する。コントローラ３１０は、任意の適切なマイクロプロセッサ（群）およびメモリ装置を備えてもよい。受信機３１４は、被受信RF信号の品質を測定する検出器３２２を備える。この信号品質が接続線３５５を介してコントローラ３１０に伝えられる。好ましくは、検出器３２２は被受信信号強度検出器を備える。電気回路構成３０１は、ディスプレイ，キーパッド回路構成，スピーカ，マイクロフォン（図示せず）などの他の回路構成および構成部分も具備することがある。好ましくは、電気回路構成３０１は、移動局１０２の脱着可能バッテリ（図示せず）により給電される。
【００１９】
コントローラ３１０は、メモリ（図示せず）内に格納される周辺ゾーン周波数データを有する。このようなデータは、基地局１０４により移動局１０２に対して定期的に送信される無線通信システム１００の周辺ゾーン周波数のリストに対応する。通常、周辺ゾーン周波数データは、第１周辺ゾーン周波数および第２周辺ゾーン周波数を含む約２０程の周辺ゾーン周波数のリストを含む。
【００２０】
図４は、移動局１０２の消費電力を削減する方法を説明する流れ図である。ここで説明される方法は、図２ないし図４ならびに図５および図６のタイミング図を組み合わせて参照する。開始ブロック４００において、コントローラ３１０，受信機３１４，送信機３１６，シンセサイザ３１８の大部分の電気回路構成を含む電気回路構成３０１の大部分が通電される。移動局１０２はスタンバイ動作モードにあり、着信呼を待機する。
【００２１】
基地局１０４は、ページング情報が利用可能な場合は常に、PCH サブフレーム２０７の第１サブフレーム（PCH サブフレーム２０９など）内に非アイドル・メッセージを送信するよう設定される。逆に、基地局１０４は、ページング情報が利用できない場合は常に、第１サブフレーム（PCH サブフレーム２０９など）内にアイドル・メッセージを送信する。メッセージ通信がこのように予測可能になることにより、移動局は以下の方法で消費電力を削減することができる。
【００２２】
移動局１０２は、PCH サブフレーム２０７（図２）および複数のスロット５００（図５）などの着信サブフレームまたはサブフレーム群に準拠して動作する準備がある。複数のスロット５００は、図２の複数のスロット２０６と同様に構築され定義される。複数のスロット５００には、受信スロット５０４，ロング・アイドル・スロット５０６，送信スロット５０８，ショート・アイドル・スロット５１０，受信スロット５１２，ロング・アイドル・スロット５１４，送信スロット５１６およびショート・アイドル・スロット５１８が含まれる。
【００２３】
コントローラ３１０は、着信サブフレームがアップリンク要件を有するか否かを検出する（段階４０２）。サブフレームの送信スロット５０８，５１６などの送信スロット中にデータ送信を行わねばならない場合に、アップリンク要件が存在する。PCH サブフレーム２０７は、通常は、ページング・メッセージを提供して、送信スロット５０８，５１６内では移動局１０２による送信を必要としない、ダウンリンクのみのサブフレームである。着信呼がアップリンク要件を持つ場合は、図２に関して前述された従来の方法が実行される（段階４０４）。
【００２４】
着信サブフレームがアップリンク要件を持たない場合は、コントローラ３１０は、制御バス３５０を介してホーム周波数データをシンセサイザ３１８に送付する。安定化期間の後、シンセサイザ３１８はホーム周波数に同調される（段階４０６）。この事象は図５の参照矢印５２０により指示される時点で起こる。受信スロット５０４の間、被変調RF信号が受信機３１４内に受信され復調されて、それによりコントローラ３１０内に被受信データを生成する（段階４０８）。被受信データはコントローラ３１０に送られ、そこで処理される。
【００２５】
ロング・アイドル・スロット５０６の開始時に、コントローラ３１０は第１周辺周波数データを、参照矢印５２４により指示される時点で制御バス３５０を通じてシンセサイザ３１８に送付する。安定化時間の後、シンセサイザ３１８は図５の参照矢印５２６により指示される時点で、第１周辺周波数に同調される（段階４１０）。第１周辺RF信号が受信機３１４内に受信される。検出器３２２は、その第１信号強度を測定することにより第１周辺RF信号の品質を検出する（段階４１２）。第１信号強度は接続線３５５を介してコントローラ３１０に伝えられ、コントローラ３１０のメモリに格納される。
【００２６】
次にコントローラ３１０は、図５の参照矢印５２８により指示される時点で、制御バス３５０を通じて第２周辺周波数データをシンセサイザ３１８に送付する。安定化時間の後、シンセサイザ３１８は図５の参照矢印５３０により指示される時点で第２周辺周波数に同調される（段階４１４）。第２周辺RF信号が受信機３１４内に受信される。検出器３２２は、その第２信号強度を測定することにより第２周辺RF信号の品質を検出する（段階４１６）。第２信号強度は接続線３５５を介してコントローラ３１０に伝えられ、メモリ内に格納される。
【００２７】
次にコントローラ３１０は、受信スロット５１２に関してアイドル条件が存在するか否かを検出する（段階４１８）。一般に受信スロットがアイドルの場合は、受信または処理すべき重要なデータは含まれない。ここでは、コントローラ３１０は受信スロット５０４内に以前受信され、メモリに格納されたデータに基づきアイドル条件を検出する。
【００２８】
アイドル条件が存在しない場合は、電気回路構成３０１は、参照矢印５３１により指示される時点から始まる第１低電力モードに入れられる（段階４２０）。ここでは、コントローラ３１０が、適切なデータを制御バス３５０を介してシンセサイザに送ることにより、シンセサイザ３１８を消費電力削減モードに入れる。次に、コントローラ３１０は、制御バス３５０を介して受信機に適切なデータを送付することにより、受信機３１４の電源を遮断する。コントローラ３１０は、次に自身を消費電力削減モードに入れる。コントローラ３１０は、参照矢印５３４により指示される時点で削減消費電力モードを出るようプログラミングされる。
【００２９】
参照矢印５３４により指示される時点で第１所定時間間隔が経過すると（段階４１２）、電気回路構成３０１は第１低電力モードを出る（段階４２２）。コントローラ３１０は、制御バス３５０を通じてシンセサイザに適切なデータを送付することにより、シンセサイザ３１８を削減消費電力モードから覚醒させる。次にコントローラ３１０は、制御バス３５０を通じて受信機に適切なデータを送付することにより、受信機３１４の電力を再能動化させる。
【００３０】
シンセサイザ３１８へのデータは、ホーム周波数データを含み、参照矢印５３４により指示される時点で送付される。安定化時間の後で、シンセサイザ３１８はホーム周波数に同調される（段階４２４）。受信スロット５１２の間、ホーム周波数上の被変調RF信号が受信機３１４内に受信され、復調されて、それによりコントローラ３１０内に被受信データを生成する（段階４２６）。参照矢印５３７により指示される時点で、コントローラ３１０は電気回路構成３０１を第２低電力モードに入れる（段階４２８）。一般に、電気回路構成３０１は第１低電力モードよりも、第２低電力モードにいるときのほうが消費する電力は少ない。
【００３１】
コントローラ３１０は、制御バス３５０を通じて適切なデータをシンセサイザに送付することにより、シンセサイザ３１８を削減消費電力モードに入れる。次にコントローラ３１０は、制御バス３５０を介して適切なデータを受信機に送付することにより、受信機３１４を削減消費電力モードに入れる。次にトランシーバ３１２の基準発振器（図示せず）が電力を遮断される。その後すぐに、コントローラ３１０が削減消費電力モードに入る。
【００３２】
第２所定時間間隔の経過後（段階４３０）、電気回路構成３０１は第２低電力モードを出る（段階４３２）。コントローラ３１０は、トランシーバ３１２の基準発振器に再給電し、制御バス３５０を通じてシンセサイザに適切なデータを送付することによりシンセサイザ３１８を削減消費電力モードから覚醒させる。コントローラ３１０は、制御バス３５０を通じて受信機に適切なデータを送付することにより、受信機３１４を削減消費電力モードから覚醒させる。その後で、電気回路構成３０１は着信データを受信および処理するのに充分な電力を得る。
【００３３】
段階４１８を再び参照して、コントローラ３１０が受信スロット５１２に関してアイドル条件を検出する場合は、電気回路構成３０１は段階４２８に関して説明されたように第２低電力モードに入れられる（段階４３４）。この事象は、図６の参照矢印５３１により指示される時点に起こる。ここで、電気回路構成３０１は第３所定時間間隔の間、第２低電力モードに入れられる。第３所定時間間隔は、一般に、第１または第２所定時間間隔より長く、好ましくは次のサブフレームは次のスーパーフレームのPCH サブフレームである。第３所定時間間隔の経過後（段階４３６）、電気回路構成３０１は上記のように第２低電力モードから出る（段階４３２）。
【００３４】
図５は、上記第４図の段階４０２〜４３０により動作する電気回路構成３０１の消費電力のタイミング図５０２である。一般に、電気回路構成３０１は、受信スロット５０４およびロング・アイドル・スロット５０６の時間間隔５２２の間に第１電流５４０を消費する。電気回路構成３０１は、一般に、受信スロット５１２の時間間隔５３６の間にも第１電流５４０を消費する。第１低電力モードにあるときは、電気回路構成３０１は、送信スロット５０８の時間間隔５３２の間に、第２電流５４２を消費するのが一般的である。時間間隔５３２は、上記の第１所定時間間隔を表す。第２低電力モードにおいて、電気回路構成３０１は、ロング・アイドル・スロット５１４，送信スロット５１６およびショート・アイドル・スロット５１８の時間間隔を含む時間間隔５３８の間に、第３電流５４４を消費するのが一般的である。第３電流５４４は、第１電流５４０および第２電流５４２に比較すると無視できるほど小さい。好ましくは、時間間隔５３８は次のスーパーフレームのサブフレーム、一般に移動局１０２に割り当てられるPCH サブフレームまで続く時間間隔を含む。時間間隔５３８は、上記の第２所定時間間隔を表す。
【００３５】
図６は、上記図４の段階４０２〜４１８と段階４２４〜４３６により動作する電気回路構成３０１の消費電流のタイミング図６０２である。第２低電力モードにおいて、電気回路構成３０１は、一般に、送信スロット５０８，ショート・アイドル・スロット５１０，受信スロット５１２，ロング・アイドル・スロット５１４，送信スロット５１６およびショート・アイドル・スロット５１８の時間間隔を含む時間間隔６３２の間、第３電流５４４を消費する。好ましくは、時間間隔６３２は次のスーパーフレームのサブフレーム、一般に移動局１０２に割り当てられるPCH サブフレームまで続く時間間隔を含む。時間間隔６３２は、上記の第３所定時間間隔を表す。
【００３６】
各電流はかなり一定に見えるが、第１電流５４０，第２電流５４２および第３電流５４４は、電気回路構成３０１により実行されるその他の動作により可変することがある。たとえば、キーパッド回路構成からのハードウェア割込により、第１および第２低電力モードが早い時期に終了してしまうことがある。
【００３７】
かくして、移動局の平均的な電流消費を実質的に削減し、なおかつ、複数のページング・チャネル上にページング情報を送信する融通性を基地局に与える方法を示した。本方法により、さらに、移動局は割り当てられたページング・スロットの数に同等の周辺チャネルを監視し続けて、なおかつ移動局の電流消費を削減することができる。
【００３８】
本発明の特定の実施例が図示および説明されたが、修正も可能である。従って、添付の請求項は、本発明の精神および範囲にはいるすべてのこのような変更および修正を包含するものである。
【図面の簡単な説明】
【図１】移動局および基地局を備える無線通信システムのブロック図である。
【図２】時分割多重接続（TDMA）無線通信システム内のデータ通信に関するタイミング図である。
【図３】移動局の電気回路構成の概略図である。
【図４】移動局の消費電力を削減する方法を示す流れ図である。
【図５】電気回路構成の動作および消費電流を示す第１タイミング図である。
【図６】電気回路構成の動作および消費電流を示す第２タイミング図である。
【符号の説明】
４００  開始
４０２  フレームはアップリンク要件を有する？
４０４  従来の方法を実行
４０６  ホーム周波数に同調
４０８  第１受信スロットの間にデータを受信および格納
４１０  第１アイドル・スロット中に第１周辺周波数に同調
４１２  信号品質を検出
４１４  第１アイドル・スロット中に第２周辺周波数に同調
４１６  信号品質を検出
４１８  アイドル・データ？
４２０  第１低電力モードに入る
４２１  第１時間間隔経過？
４２２  第１低電力モードを出る
４２４  ホーム周波数に同調
４２６  第２受信スロットの間にデータを受信および格納
４２８  第２低電力モードに入る
４３０  第２時間間隔経過？
４３２  第２低電力モードを出る
４３４  第２低電力モードに入る
４３６  第３時間間隔経過？
【図１】
0004286929.tif 000002
【図２】
0004286929.tif 000003
【図３】
0004286929.tif 000004
【図４】
0004286929.tif 000005
【図５】
0004286929.tif 000006
【図６】
0004286929.tif 000007